(57)【特許請求の範囲】
【請求項１】
基板と、
前記基板に取り付けられる第１の光源と、
前記第１の光源を前方から覆い、前記第１の光源からの光を側方である第１方向に反射する第１反射部と、
前記基板に取り付けられ、前記第１方向側に位置する第２の光源と、
前記第２の光源を前方から覆い、前記第１反射部が反射した前記第１の光源からの光を前方に反射するとともに、前記第２の光源からの光を前記第１方向に反射する第２反射部と、
前記第２反射部の前方に位置して前記第１の光源からの光が少なくとも前記第２反射部により反射されることで照射され、装飾又は情報の少なくとも一方を表示する表示部と、
を備え、
前記第１の光源、前記第２の光源、前記第１反射部、及び前記第２反射部は回転軸回りに配置されることを特徴とする表示装置。
【請求項２】
前記第１の光源と前記第１反射部との第１の組と、前記第２の光源と前記第２反射部との第２の組とが前記第１方向に沿って交互に配置され、
前記第２反射部の前記第１方向側に隣接する前記第１反射部は、前記第２反射部で反射した前記第２の光源からの光を前方に反射し、
前記第１及び第２反射部の前方には少なくとも前記第１及び第２反射部により反射された光が照射される前記表示部が配置される請求項１に記載の表示装置。
【請求項３】
前記表示部は、前記表示部の前方に位置する車両用の運転席に対向して配置され、前記車両に関連する装飾又は情報の少なくとも一方を表示する請求項２に記載の表示装置。
【請求項４】
前記表示部は、前記車両の状態に関する前記装飾又は前記情報の少なくとも一方を表示する光透過部を有する表示板を備える請求項３に記載の表示装置。
【請求項５】
前記表示板を前後方向に貫通して位置する回転軸と、前記回転軸に接続されて前記表示板の前方で前記回転軸回りに回転可能な指針と、を有し、
前記回転軸を中心とする環状又は円弧状に連続して若しくは前記回転軸を中心とする環状又は円弧状に非連続に前記光透過部が前記表示板に表示される請求項４に記載の表示装置。
【請求項６】
前記第１方向は、前記回転軸を中心とする円周方向であり、
前記円周方向に沿って前記第１の組と前記第２の組が交互に配置される請求項５に記載の表示装置。
【請求項７】
前記指針が前記回転軸回りに回転する場合に、前記指針の先端部が描く軌跡、前記軌跡の外周部、又は前記軌跡の内周部の少なくとも一方に沿って環状又は円弧状に前記光透過部が連続又は非連続で前記表示板に表示され、
前記軌跡、前記外周部又は前記内周部に沿って前記第１の組と前記第２の組が交互に配置される請求項６に記載の表示装置。
【請求項８】
前記表示部は、前記車両の乗員に前記情報を表示するディスプレイを備える請求項３ないし７のいずれか１項に記載の表示装置。
【請求項９】
前記第１方向は、前記ディスプレイの面内方向であり、
前記面内方向に沿って前記第１の組と前記第２の組が交互に配置される請求項８に記載の表示装置。
【請求項１０】
前記第１反射部は、前記第１方向に沿って前記第１の光源と前記第２の光源が配置される平面に対して傾斜して前記第１の光源の前方を覆う板状の第１傾斜部を有し、前記第１傾斜部の表面により前記表示部に光を反射し、前記第１傾斜部の裏面により前記第２反射部に光を反射し、
前記第２反射部は、前記平面に対して傾斜して前記第２の光源の前方を覆う板状の第２傾斜部を有し、前記第２傾斜部の表面により前記表示部に光を反射し、前記第２傾斜部の裏面により前記第１反射部に光を反射する請求項２ないし９のいずれか１項に記載の表示装置。
【請求項１１】
前記第１及び第２傾斜部は、前記平面に対して前記表面が傾斜する角度と前記平面に対して前記裏面が傾斜する角度が異なる請求項１０に記載の表示装置。
【請求項１２】
前記第１反射部は、前記第１傾斜部から前記基板に延びる脚部を有し、
前記第２反射部は、前記第２傾斜部から前記基板に延びる脚部を有する請求項１０又は請求項１１に記載の表示装置。
【請求項１３】
前記第１反射部及び前記第２反射部を前記基板に取り付ける土台となる板部を備え、
前記板部は、前記回転軸の軸線を中心とする環状の貫通孔と、前記軸線の位置において前記軸線に沿うように貫通する孔部とを有し、
前記第１反射部及び前記第２反射部は前記貫通孔の内部において前記軸線回りに配置されており、
前記回転軸は前記孔部に挿入される請求項１ないし１２のいずれか１項に記載の表示装置。
【発明の詳細な説明】
【技術分野】
【０００１】
本発明は、表示装置に関する。
【背景技術】
【０００２】
例えば、特許文献１には、光源により計器のパネルが照らされる車両用のメーターが開示されている。
【先行技術文献】
【特許文献】
【０００３】
【特許文献１】特許第３３０１０７７号公報
【発明の概要】
【発明が解決しようとする課題】
【０００４】
特許文献１のメーターでは、光源の前方を遮るように第１の反射部が位置し、光源からの光が第１の反射部から第２の反射部に反射され、第２の反射部に入射した光が反射して計器用のパネルに光が照射される。よって、光源を遮るように位置する第１の反射部の前方（例えば、真正面）に光が照射されず、第１の反射部の真正面に対応する計器用のパネルの領域に光を照射することができない。
【０００５】
本発明の課題は、光源の前方を覆うように位置する反射部の前方に光を照射することが可能な表示装置を提供することにある。
【課題を解決するための手段及び発明の効果】
【０００６】
本発明の表示装置は、
基板と、
基板に取り付けられる第１の光源と、
第１の光源を前方から覆い、第１の光源からの光を側方である第１方向に反射する第１反射部と、
基板に取り付けられ、第１方向側に位置する第２の光源と、
第２の光源を前方から覆い、第１反射部が反射した第１の光源からの光を前方に反射するとともに、第２の光源からの光を第１方向に反射する第２反射部と、
第２反射部の前方に位置して第１の光源からの光が少なくとも第２反射部により反射されることで照射され、装飾又は情報の少なくとも一方を表示する表示部と、
を備え、
第１の光源、第２の光源、第１反射部、及び第２反射部は回転軸回りに配置されることを特徴とする。
【０００７】
本発明の表示装置は、第２の光源を前方から覆うとともに、第２の光源からの光を第１方向に反射する第２反射部が第１反射部により反射された第１の光源からの光を前方に反射する。よって、第２の光源の前方を覆うように位置する第２反射部の前方に対しても光を照射することができる。
【０００８】
本発明の実施態様では、
第１の光源と第１反射部との第１の組と、第２の光源と第２反射部との第２の組とが第１方向に沿って交互に配置され、
第２反射部の第１方向側に隣接する第１反射部は、第２反射部で反射した第２の光源からの光を前方に反射し、
第１及び第２反射部の前方には少なくとも第１及び第２反射部により反射された光が照射される表示部が配置される。
【０００９】
これによれば、第１反射部と第２反射部の前方に対しても光を照射することができる。また、第１方向に沿って第１の組と第２の組が交互に配置されるため、第１方向に沿うように配置される第１及び第２反射部の前方に光を照射できる。よって、第１方向を調節することで、表示部上の任意の位置に対して光を照射することが可能となる。なお、本明細書において、「交互に配置される」とは、例えば、第１の組、第２の組、第１の組とのように互い違いに少なくとも３つの組が配置されることをいう。
【００１０】
本発明の実施態様では、
表示部は、表示部の前方に位置する車両用の運転席に対向して配置され、車両に関連する装飾又は情報の少なくとも一方を表示する。
【００１１】
これによれば、車両の運転席に対向して配置される表示部に向けて光を照射することができる。
【００１２】
本発明の実施態様では、
表示部は、車両の状態に関する装飾又は情報の少なくとも一方を表示する光透過部を有する表示板を備える。
【００１３】
これによれば、表示板に向けて照射される光が光透過部を通じて表示板の前方に漏れ出ることで、光透過部に対応した表示を表示部に表示させることができる。
【００１４】
本発明の実施態様では、
表示板を前後方向に貫通して位置する回転軸と、回転軸に接続されて表示板の前方で回転軸回りに回転可能な指針と、を有し、
回転軸を中心とする環状又は円弧状に連続して若しくは回転軸を中心とする環状又は円弧状に非連続に光透過部が表示板に表示される。
【００１５】
これによれば、指針の回転軸回りに表示される光透過部に光を照射することができる。
【００１６】
本発明の実施態様では、
第１方向は、回転軸を中心とする円周方向であり、
円周方向に沿って第１の組と第２の組が交互に配置される。
【００１７】
これによれば、円周方向に沿って配置される第１の組の第１反射部と第２の組の第２反射部の前方に光を照射することができ、回転軸回りに表示される光透過部に対して効果的に光を照射できる。
【００１８】
本発明の実施態様では、
指針が回転軸回りに回転する場合に、指針の先端部が描く軌跡、軌跡の外周部、又は軌跡の内周部の少なくとも一方に沿って環状又は円弧状に光透過部が連続又は非連続で表示板に表示され、
軌跡、外周部又は内周部に沿って第１の組と第２の組が交互に配置される。
【００１９】
これによれば、回転軸回りに交互に配置される第１の組の第１反射部と第２の組の第２反射部の前方に光を照射でき、回転軸回りに配置される光透過部に照射する光の照度を高めることができる。
【００２０】
本発明の実施態様では、表示部は、車両の乗員に情報を表示するディスプレイを備える。
【００２１】
これによれば、ディスプレイを照らすことができる。
【００２２】
本発明の実施態様では、
第１方向は、ディスプレイの面内方向であり、
面内方向に沿って第１の組と第２の組が交互に配置される。
【００２３】
これによれば、効果的にディスプレイを照らすことが可能となる。
【００２４】
本発明の実施態様では、
第１反射部は、第１方向に沿って第１の光源と第２の光源が配置される平面に対して傾斜して第１の光源の前方を覆う板状の第１傾斜部を有し、第１傾斜部の表面により表示部に光を反射し、第１傾斜部の裏面により第２反射部に光を反射し、
第２反射部は、平面に対して板状に傾斜して第２の光源の前方を覆う板状の第２傾斜部を有し、第２傾斜部の表面により表示部に光を反射し、第２傾斜部の裏面により第１反射部に光を反射する。
【００２５】
これによれば、簡易な板状の部材により光を反射させ、表示部を照らすことができる。
【００２６】
本発明の実施態様では、
第１及び第２傾斜部は、平面に対して表面が傾斜する角度と平面に対して裏面が傾斜する角度が異なる。
【００２７】
これによれば、第１及び第２傾斜部の表面と裏面で光を反射させる方向を変えることができる。
【図面の簡単な説明】
【００２８】
【図１Ａ】本発明の一例の表示装置である車両用のメーターユニットを示す模式正面図。
【図１Ｂ】図１ＡのＩＢ−ＩＢ断面の一部を示す模式断面図。
【図２】図１Ａの速度メーターの光源の位置関係を説明する模式底面図（ただし、反射体は省略してある）。
【図３】図１Ａの速度メーターに用いられる反射体の一例を示す模式斜視図。
【図４】図３の速度メーターの反射体と光源との位置関係を説明する模式断面斜視図。
【図５】図１ＡのＶ−Ｖ断面の一部を示す模式断面図。
【図６】図１Ａのオドメーターの光源の位置関係を説明する模式底面図（ただし、反射体は省略してある）。
【図７】図１ＡのＶＩＩ−ＶＩＩ断面の一部を示す模式断面図。
【図８】図１Ａの道路案内用の装置の光源の位置関係を説明する模式底面図（ただし、反射体は省略してある）。
【図９】図１Ｂの変形例を示す模式断面図。
【発明を実施するための形態】
【００２９】
図１Ａに示す車両用のメーターユニット１は、速度メーター２と、タコメーター３と、オドメーター４と、道路案内用の装置５を備える。メーターユニット１は、例えば、車両のダッシュボードＤに取り付けられ、車両の運転席に対向して位置する。メーターユニット１は、車両の運転者及び乗員に車両の状態に関する情報を提供する。
【００３０】
速度メーター２は、車両の速度を計測する計器である。速度メーター２は、文字及び装飾が施された表示板２ａと、表示板２ａの表裏を貫通して位置する回転軸２ｂと、表示板２ａの手前（運転席側）に位置して回転軸２ｂに接続する指針２ｃを備える。更に、図１Ｂに示すように速度メーター２は、表示板２ａに光を照射する光源２ｄと、光源２ｄからの光を反射する反射板２ｅと、光源２ｄが取り付けられる基板２ｆを備える。
【００３１】
図１Ａに戻って、表示板２ａには、車両の速度を示す数字Ｎと、車両の速度を示す目盛りＳと、表示板２ａの中央部において表示板２ａの表裏を貫通する貫通孔Ｈを有する。数字Ｎは、回転軸２ｂ回りにおける角度θの範囲で等角度間隔に０、２０・・・２２０と表示される。同様に目盛りＳも回転軸２ｂ回りの角度θの範囲内において円弧状に表示される。更に、数字Ｎと目盛りＳは光を透過する部材により形成され、数字Ｎと目盛りＳを除く表示板２ａは、例えば、光を遮蔽する領域になるように形成される。そのため、表示板２ａの裏面側（図１Ａの紙面裏側）に光が照射されると、その光が数字Ｎ及び目盛りＳを通じて表示板２ａの表面側に漏れ出ることにより、数字Ｎ及び目盛りＳが、例えば、輝いて表示板２ａに表示される。
【００３２】
回転軸２ｂは、貫通孔Ｈを通じて表示板２ａを前後方向（表示板２ａの厚さ方向）に貫通して位置し、表示板２ａの前後方向に延びる軸線Ｏ回りの角度θの範囲で回転可能である。
【００３３】
指針２ｃは、表示板２ａの手前側（運転席側）で回転軸２ｂに接続され、回転軸２ｂとともに軸線Ｏ回りに回転する。指針２ｃは、自車両の速度に対応して軸線Ｏを中心として目盛りＳに沿って回転し、車両の速度を指し示す。
【００３４】
図１Ｂの光源２ｄは、基板２ｆから入力される信号に応じて光を発する、例えば、ＬＥＤである。光源２ｄは、図２のＸＹ平面（以下、平面Ｐ）上で軸線Ｏ回りに等角度間隔に複数、配置される。光源２ｄの一部は、軸線Ｏ回りに回転する指針２ｃの先端部が描く軌跡の外周部に沿うように軸線Ｏ回りに配置される。図１Ｂでは、各光源２ｄのうち１つ光源２ｄが光源Ｌ１として符号が付されるとともに、光源Ｌ１の図示右側に隣接する光源２ｄが光源Ｌ２として符号が付される。
【００３５】
図１Ｂに示すように各光源２ｄの前方（図示上側）には、各光源２ｄに対応して反射板２ｅが配置される。反射板２ｅは、光源２ｄが配置される平面Ｐに対して傾斜する板状の本体部２ｅ１と、本体部２ｅ１の先端から基板２ｆに延びる第１脚部２ｅ２と、本体部２ｅ１から基板２ｆに延びて第１脚部２ｅ２に隣接する第２脚部２ｅ３を有する。本体部２ｅ１は、表示板２ａに対向する表面Ｓと基板２ｆに対向する裏面Ｂを有する。第１及び第２脚部２ｅ２、２ｅ３は、本体部２ｅ１を支える土台である。本体部２ｅ１、第１脚部２ｅ２、及び第２脚部２ｅ３における各表面は、光を反射する反射面である。図１Ａ及び図１Ｂに示すように反射板２ｅは、軸線Ｏ回りに光源２ｄに対応するように等角度間隔に複数、配置される。反射板２ｅは、例えば、図３と図４に示すように矩形板状の板部６の一部として形成される。板部６は、基板２ｆに反射板２ｅを取り付ける土台となる。板部６は、板部６の中央が軸線Ｏに対応して位置し、軸線Ｏを中心とする環状の貫通孔６ａと、板部６の中央を軸線Ｏに沿うように貫通する孔部６ｂを有する。貫通孔６ａは、貫通孔６ａの内部で軸線Ｏ回りに反射板２ｅが等角度間隔に配置され、各反射板２ｅは、貫通孔６ａの内部にぴったりと収まる。孔部６ｂは、軸線Ｏに沿って回転軸２ｂが挿入される孔となる。なお、図１Ｂにおいては、光源Ｌ１の前方（図示上側）を覆う反射板２ｅが反射板Ｒ１と示されるとともに、光源Ｌ２の前方（図示上側）を覆う反射板２ｅが反射板Ｒ２と示される。
【００３６】
反射板２ｅ（板部６）が載置される基板２ｆは、光源２ｄが取り付けられるとともに、外部からの信号に応じて光源２ｄを点灯させる。
【００３７】
以上が速度メーター２の主要な各部の説明である。次に、図１Ａに示すメーターユニット１のその他の各部を説明する。タコメーター３は、車両のエンジンの回転数を計測する計器である。タコメーター３は、速度メーター２と同様に文字と装飾が施された表示板３ａと、表示板３ａの表裏を貫通して位置する回転軸３ｂと、表示板３ａの手前（運転席側）に位置して回転軸３ｂに接続する指針３ｃを備える。更に、図示省略してあるが、速度メーター２と同様に表示板３ａに光を照射する光源と、光源からの光を反射する反射板と、光源が取り付けられる基板を備える。タコメーター３の光源と反射板は、速度メーターの光源２ｄと反射板２ｅと同様であるため、説明は省略する。
【００３８】
オドメーター４は、車両が現在までに走行した累計走行距離を表示する計器である。オドメーター４は、図５に示すようにディスプレイ４ａと、ディスプレイ４ａの外縁を囲む枠部４ｂと、ディスプレイ４ａに光を照射する光源４ｃと、光源４ｃの光を反射する反射板４ｄと、光源４ｃが取り付けられる基板４ｅを備える。
【００３９】
ディスプレイ４ａは、矩形状の液晶ディスプレイである。ディスプレイ４ａは、ダッシュボードＤ（図１Ａ）の窓部Ｗ１を通じて視認可能になるように配置される。図５に戻って、枠部４ｂは、ディスプレイ４ａの外縁部をディスプレイ４ａの表裏から枠状に囲み、枠部４ｂが窓部Ｗ１の外縁部と反射部４ｄに挟まれることで、ディスプレイ４ａを窓部Ｗ１と反射板４ｄの間に保持する。光源４ｃは、基板４ｅから入力される信号に応じて光を発する、例えば、ＬＥＤである。図６に示すように光源４ｃは、ディスプレイ４ａの面内方向（ディスプレイ４ａ裏面に水平な方向）に沿う平面Ｐ１に沿って直線状に複数配置される。図５に戻って、各光源４ｃの前方（図示上側）には、各光源４ｃに対応して反射板４ｄが配置される。反射板４ｄは、光源４ｃが配置される平面Ｐ１に対して傾斜する板状の本体部４ｄ１と、本体部４ｄ１の先端から基板４ｅに延びる第１脚部４ｄ２と、本体部４ｄ１から基板４ｅに延びて第１脚部４ｄ２に隣接する第２脚部４ｄ３を有する。本体部４ｄ１は、ディスプレイ４ａに対向する表面Ｓと、基板４ｅに対向する裏面Ｂを有する。第１及び第２脚部４ｄ２、４ｄ３は、本体部４ｄ１を支える土台である。本体部４ｄ１、第１脚部４ｄ２、及び第２脚部４ｄ３における各表面は、光を反射する反射面である。図５に示すように反射板４ｄは、光源４ｄに対応するように複数、配置される。反射板４ｄが載置される基板４ｅは、光源４ｃ及びディスプレイ４ａの図示しない配線が取り付けられ、外部からの信号に応じて光源４ｃを点灯させ、ディスプレイ４ａに車両の累計走行距離を表示する。
【００４０】
以上がオドメーター４の主要な各部の説明である。次に、図１Ａに示すオドメーター４の図示上側に配置される道路案内用の装置５について説明する。装置５は、図７及び図８に示すようにオドメーター４と同様にディスプレイ５ａと、ディスプレイ５ａの外縁を囲む枠部５ｂと、ディスプレイ５ａに光を照射する光源５ｃと、光源５ｃの光を反射する反射板５ｄと、光源５ｃが取り付けられる基板５ｅを備える。
【００４１】
ディスプレイ５ａは、矩形状の液晶ディスプレイである。ディスプレイ５ａは、ダッシュボードＤ（図１Ａ）の窓部Ｗ２を通じて視認可能になるように配置される。図７に戻って、枠部５ｂは、ディスプレイ５ａの外縁部をディスプレイ５ａの表裏から枠状に囲み、枠部５ｂが窓部Ｗ２の外縁部と反射部５ｄに挟まれることで、ディスプレイ５ａを窓部Ｗ２と反射板５ｄの間に保持する。光源５ｃは、基板５ｅから入力される信号に応じて光を発する、例えば、ＬＥＤである。図８に示すように光源５ｃは、直線状にディスプレイ５ａの面内方向（ディスプレイ５ａの裏面に水平な方向）に沿う平面Ｐ２に沿って複数配置され、その光源５ｃの列が平行に複数、配置される。図７に戻って、各光源５ｃの前方（図示左側）には、各光源５ｃに対応して反射板５ｄが配置される。反射板５ｄは、光源５ｃが配置される平面Ｐ２に対して傾斜する板状の本体部５ｄ１と、本体部５ｄ１の先端から基板５ｅに延びる第１脚部５ｄ２と、本体部５ｄ１から基板５ｅに延びて第１脚部５ｄ２に隣接する第２脚部５ｄ３を有する。本体部５ｄ１は、ディスプレイ５ａに対向する表面Ｓと基板５ｅに対向する裏面Ｂを有する。第１及び第２脚部５ｄ２、５ｄ３は、本体部５ｄ１を支える土台である。本体部５ｄ１、第１脚部５ｄ２、及び第２脚部５ｄ３における各表面は、光を反射する反射面である。図７に示すように反射板５ｄは、光源５ｄに対応するように複数、配置される。反射板５ｄが載置される基板５ｅは、光源５ｃ及びディスプレイ５ａの図示しない配線が取り付けられ、外部からの信号に応じて光源５ｃを点灯させ、車両の運転者に対して道路案内をディスプレイ５ａに表示する。
【００４２】
以上、メーターユニット１の主要な各部について説明した。次に、速度メーター２等の文字等が光に照らされ、表示される態様について説明する。速度メーター２では、図１Ｂに示すように、例えば、光源Ｌ１からの光が反射板Ｒ１（本体部２ｅ１）の裏面Ｂにより反射され、反射板Ｒ１の図示右側に隣接した反射板Ｒ２（本体部２ｅ１）の表面Ｓに入射する。すると、その入射した光が反射板Ｒ２（本体部２ｅ１）の表面Ｓで反射して表示板２ａに入射する。速度メーター２では、反射板２ｅと反射板２ｅの裏面側（図示下側）に位置する光源２ｄとの組が、図１Ａの軸線Ｏ回りに配置され、図１Ｂの光源２ｄを覆う反射板２ｅの前方（図示上側）の表示板２ａに光が照射される。表示板２ａに光が照射されると、その光が表示板２ａの光透過部となる図１Ａに示す数字Ｎ及び目盛りＳから光が漏れ出すことで、数字Ｎ及び目盛りＳが輝くように表示板２ａに表示される。速度メーター２を例に挙げてして説明したが、タコメーター３についても同様となる。
【００４３】
一方、オドメーター４においては、図５に示す図示左側の光源４ｃからの光が本体部４ｄ１の裏面Ｂにより反射され、本体部４ｄ１の図示右側に隣接した本体部４ｄ１の表面Ｓに入射する。すると、その入射した光が本体部４ｄ１の表面Ｓで反射してディスプレイ４ａに入射する。オドメーター４においては、反射板４ｄと反射板４ｄの裏面側（図示下側）に位置する光源４ｃとの組が、ディスプレイ４ａの面内方向に沿って直線状に配置され、光源４ｃを覆う反射板４ｄの前方（図５の図示上側）のディスプレイ４ａに光が照射される。この照射された光がディスプレイ４ａのバックライトとなることにより、ディスプレイ４ａに車両の累計走行距離が表示される。オドメーター４を例に挙げて説明したが、道路案内用の装置５についても同様となる。
【００４４】
メーターユニット１においては、図１Ｂに示すように光源Ｌ２を前方（図示上側）から覆うとともに、光源Ｌ２からの光を図示右側に反射する反射板Ｒ２が反射板Ｒ１により反射された光源Ｌ１からの光を前方に反射する。よって、光源Ｌ２の前方（図示上側）を覆うように位置する反射板Ｒ２の前方（図示上側）に対して光を照射できる。図１Ａと図１Ｂに示すように軸線Ｏ回りに環状に光源２ｄと光源２ｄの前方に位置する反射板２ｅの組が配置されるため、各組の反射板２ｅの前方に光を照射できる。反射板２ｅは、図１Ａの軸線Ｏ回りに回転する指針２ｃの先端部が描く軌跡に沿うように非連続の円弧状に配置されるため、指針２ｃの先端部が描く軌跡に沿うように光を照射できる。また、図１Ａに示すように表示板２ａの数字Ｎ及び目盛りＳが、指針２ｃの先端部が描く軌跡の外周部に沿って配置されるため、数字Ｎ及び目盛りＳに対して効果的に光を照らすことができる。その結果、数字Ｎ及び目盛りＳの光が透過する部分から光が漏れ出し、数字Ｎ及び目盛りＳを強く輝かせることができる。例えば、特許文献１のような従来の表示装置においては、光源が回転軸の近傍に配置されるため、指針の外周部に配置される数字等を強く照らすことが困難である。しかし、メーターユニット１においては、数字Ｎ及び目盛りＳを強く照らすことができる。また、メーターユニット１においては、数字Ｎ及び目盛りＳのみならず、図５及び図７に示すディスプレイ４ａ、５ａについても強く照らすことができる。数字Ｎ等を照らす光源２ｄ等からの光を反射する反射板２ｅ等は、例えば、図１Ｂに示すように平面Ｐに対して傾斜した板状の本体部２ｅ１であるため、簡易な形状の反射板２ｅ等により表示板２ａ等を照らすことができる。なお、表示板２ａに照射される光は、反射板２ｅに反射された光のみならず、光源２ｄから直接、表示板２ａに照射される光も含まれ、違和感がないように数字Ｎ等を表示することができる。よって、従来、必要であった光を拡散させる部材を設ける必要が無い。また、光源２ｄの前方が反射板２ｅで覆われることにより、車両の乗員が直接、光源２ｄを視認しにくくなる。
【００４５】
また、図９に示すように反射板２ｅの形状は、平面Ｐに対して表面Ｓが傾斜する角度と平面Ｐに対して裏面Ｂが傾斜する角度を変えてもよいし、同じにしてもよい。角度を変えることで、表面Ｓと裏面Ｂにおいて光を反射させる方向を変えることができる。なお、図９に示す表示板２ａと反射板２ｅとの間の隙間の距離Ｄ１を調節すると、表示板２ａに照射される光を調節することも可能である。
【００４６】
上記の説明では、光を透過する光透過部の一例として、図１Ａの回転軸２ｂを中心として非連続の円弧状に数字Ｎ等が表示される例を示したが、数字Ｎ等は、非連続の環状に表示されてもよい。また、数字Ｎ等以外にも、回転軸２ｂを中心として連続した円弧状又は環状（例えば、断ち切られていない円弧状又は環状）の装飾を表示板２ａ等に表示してもよいし、数字Ｎ等と装飾を組み合せてもよい。
【００４７】
上記の説明では、図１Ａ及び図１Ｂに示すように光源２ｄと、光源２ｄの前方に位置する反射板２ｅとの組が環状に配置される例を示したが、円弧状に配置されてもよい。また、図５及び図６に示すように光源４ｃと、光源４ｃの前方に位置する反射板４ｄとの組が直線状に配置される例を示したが、Ｌ字状などの種々の配列を採用することが可能である。
【００４８】
上記の説明では、図１Ｂの指針２ｃの先端部が描く軌跡の外周部に沿って数字Ｎ等が配置される例を示したが、その軌跡の内周部又は、その軌跡に沿って数字Ｎ等が配置されてもよい。また、光源２ｄと、光源２ｄの前方に位置する反射板２ｅとの組が指針２ｃの先端部が描く軌跡の内周部に沿って配置される例を示したが、指針２ｃの先端部が描く軌跡又は軌跡の外周部に沿って配置されてもよい。
【００４９】
上記の説明では、図３の板部６に反射板２ｅのみが設けられる例を説明したが、反射板２ｅとともに、図５の反射板４ｄと図６の反射板５ｄを１つにまとめた板部としてもよい。反射板２ｅ、４ｄ、５ｄを１つの板部にまとめることにより、反射板２ｅ、４ｄ、５ｄの取り付けが容易となる。
【００５０】
以上、本発明の実施の態様を説明したが、本発明はその具体的な記載に限定されることなく、例示した構成、処理等を技術的に矛盾のない範囲で適宜組み合わせて実施することも可能であるし、またある要素、処理を周知の形態に置き換えて実施することもできる。
【００５１】
上記の説明では、反射部の一例として表裏が反射面となる反射板２ｅ等を例示したが、入射した光の一部が透過する、例えば、ハーフミラー等のマジックミラーであってもよい。反射部にマジックミラーを用いる場合は、マジックミラーを透過した光が光源２ｄの真上（図１Ｂの上側）の表示板２ａに入射し、表示板２ａを照らすことができる。
【符号の説明】
【００５２】
１    メーターユニット            ２      速度メーター（表示装置）
２ａ  表示板（表示部）            ２ｂ    回転軸
２ｃ  指針                        ２ｄ    光源
Ｌ１  光源（第１の光源）          Ｌ２    光源（第２の光源）
２ｅ  反射板                      Ｒ１    反射板（第１の反射板）
Ｒ２  反射板（第２の反射板）      ２ｅ１  本体部
３    タコメーター（表示装置）    ４      オドメーター（表示装置）
４ａ  ディスプレイ（表示部）      ４ｃ    光源
４ｄ  反射板                      ４ｄ１  本体部
５    装置（表示装置）            ５ａ    ディスプレイ（表示部）
Ｏ    軸線                        Ｎ      数字（光透過部）
Ｓ    目盛り（光透過部）          Ｐ      平面
【図１Ａ】
0006635405.tif 000002
【図１Ｂ】
0006635405.tif 000003
【図２】
0006635405.tif 000004
【図３】
0006635405.tif 000005
【図４】
0006635405.tif 000006
【図５】
0006635405.tif 000007
【図６】
0006635405.tif 000008
【図７】
0006635405.tif 000009
【図８】
0006635405.tif 000010
【図９】
0006635405.tif 000011